(57)【要約】【課題】イベント情報が提示された後のユーザの感情が考慮された適切なタイミングでイベント情報を提示する技術を提供する。【解決手段】電子機器（１０１）は、ユーザの感情及びイベント情報が関連付けられたイベント感情特性情報を参照して、上記ユーザの感情を上記目標感情に遷移させるイベント情報を特定する特定処理と、上記特定処理で特定した上記イベント情報を提示装置に提示させる提示処理と、を行う。【選択図】図１
2019096147.tif 000002
【特許請求の範囲】
【請求項１】
提示装置及び制御装置を備える電子機器であって、
上記制御装置は、
ユーザの感情を判定する判定処理と、
上記ユーザに関するイベント情報を取得する取得処理と、
上記ユーザに関する目標となる感情である目標感情を設定する設定処理と、
上記感情及び上記イベント情報が関連付けられたイベント感情特性情報を参照して、上記ユーザの感情を上記目標感情に遷移させるイベント情報を特定する特定処理と、
上記特定処理で特定したイベント情報を上記提示装置に提示させる提示処理と、を行うことを特徴とする、電子機器。
【請求項２】
上記制御装置は、生体センサが測定した上記ユーザの生体情報を参照して、上記判定処理において上記感情を判定することを特徴とする、請求項１に記載の電子機器。
【請求項３】
上記制御装置は、
上記判定処理で判定した上記感情、及び上記イベント感情特性情報を参照して、上記イベント情報の提示を保留するか否かを判定し、提示を保留すると判定した上記イベント情報を記憶装置に記憶させる保留処理をさらに行い、
上記提示処理において、上記保留処理で上記記憶装置が記憶した上記イベント情報を上記提示装置に提示させることを特徴とする、請求項１又は２に記載の電子機器。
【請求項４】
上記制御装置は、
上記提示処理を行う前と行った後とに上記判定処理を行い、
当該提示処理を行う前の上記判定処理により判定した上記感情と、当該提示処理を行った後の上記判定処理により判定した上記感情と、当該提示処理により提示された上記イベント情報と、が関連付けられた上記イベント感情特性情報を生成する生成処理と、
上記イベント感情特性情報を記憶装置に記憶させる記憶処理と、をさらに行うことを特徴とする、請求項１〜３の何れか１項に記載の電子機器。
【請求項５】
上記制御装置は、上記特定処理において、上記ユーザに関する上記イベント感情特性情報、及び他のユーザに関するイベント感情特性情報を格納しているパブリックデータベースを参照して、上記ユーザの感情を上記目標感情に遷移させる上記イベント情報を特定することを特徴とする、請求項１〜４の何れか１項に記載の電子機器。
【請求項６】
上記制御装置は、上記特定処理において、上記ユーザに関する上記イベント感情特性情報を格納しているパーソナルデータベースを参照して、上記ユーザの感情を上記目標感情に遷移させる上記イベント情報を特定することができない場合に、上記パブリックデータベースを参照して、上記ユーザの感情を上記目標感情に遷移させる上記イベント情報を特定することを特徴とする、請求項５の何れか１項に記載の電子機器。
【請求項７】
提示装置を備える電子機器を制御する制御装置であって、
ユーザの感情を判定する判定部と、
上記ユーザに関するイベント情報を取得する取得部と、
上記ユーザに関する目標となる感情である目標感情を設定する設定部と、
上記感情及び上記イベント情報が関連付けられたイベント感情特性情報を参照して、上記ユーザの感情を上記目標感情に遷移させるイベント情報を特定する特定部と、
上記特定部が特定したイベント情報を上記提示装置に提示させる提示部と、を備えていることを特徴とする、制御装置。
【請求項８】
提示装置、制御装置、及び通信装置を備える電子機器と、サーバ記憶装置、サーバ制御装置、及びサーバ通信装置を備えるサーバとを含むイベント情報提示システムであって、
上記制御装置は、
ユーザの感情を判定する判定処理と、
上記ユーザに関するイベント情報を取得する取得処理と、
上記ユーザに関する目標となる感情である目標感情を設定する設定処理と、
上記感情及び上記イベント情報が関連付けられたイベント感情特性情報を参照して、上記ユーザの感情を上記目標感情に遷移させるイベント情報を特定する特定処理と、を行い、上記イベント感情特性情報を、上記通信装置を介して上記サーバ通信装置に送信し、
上記サーバ制御装置は、
上記サーバ通信装置を介して取得した上記イベント感情特性情報を上記サーバ記憶装置に記憶する記憶処理を行い、
上記制御装置は、上記特定処理で特定したイベント情報を上記提示装置に提示させる提示処理をさらに行うことを特徴とする、イベント情報提示システム。
【請求項９】
サーバ記憶装置、サーバ制御装置、及びサーバ通信装置を備え、当該サーバ通信装置を介して電子機器とネットワーク接続されたサーバであって、
上記サーバ制御装置は、
ユーザの感情と当該ユーザに関するイベント情報とが関連付けられたイベント感情特性情報を上記電子機器から取得する取得処理と、
上記イベント感情特性情報を上記サーバ記憶装置に記憶させる記憶処理と、
上記記憶処理で上記サーバ記憶装置が記憶した上記イベント感情特性情報を上記電子機器に送信する送信処理と、を行うことを特徴とする、サーバ。
【請求項１０】
提示装置を備える電子機器、及び当該電子機器とネットワーク接続されたサーバを含むイベント情報提示システムがイベント情報を提示するイベント情報提示方法であって、
ユーザの感情を判定する判定工程と、
上記ユーザに関するイベント情報を取得する取得工程と、
上記ユーザに関する目標となる感情である目標感情を設定する設定工程と、
上記感情及び上記イベント情報が関連付けられたイベント感情特性情報を参照して、上記ユーザの感情を上記目標感情に遷移させるイベント情報を特定する特定工程と、
上記イベント感情特性情報を上記サーバに記憶させる記憶工程と、
上記特定工程で特定した上記イベント情報を上記提示装置に提示させる提示工程と、を含むことを特徴とする、イベント情報提示方法。
【発明の詳細な説明】
【技術分野】
【０００１】
本発明は、主に、イベント情報を提示する電子機器に関する。
【背景技術】
【０００２】
メッセージ（イベント情報）を送受信するシステムに関する従来技術として、特許文献１には、送信予約を受け付け、メッセージの内容と相手の心理的状況とを考慮して、より最適なタイミングで相手にメッセージを通知するよう制御することが可能な通信システム及び通信制御方法が開示されている。
【０００３】
当該通信システムは、発信者が特定の通信先にメッセージを送信することを予約する予約リクエストを受信し、メッセージの内容と、特定の通信先に対応するユーザの現在又は過去の心理的状況とに応じて、所定のタイミングでメッセージの存在を通信先に通知する。
【先行技術文献】
【特許文献】
【０００４】
【特許文献１】国際公開第２０１７／０８１８９４号公報（２０１７年５月１８日公開）
【発明の概要】
【発明が解決しようとする課題】
【０００５】
特許文献１に記載のシステムにおけるメール（イベント情報）の通知制御手段は、メールの受信者の「現在又は過去の心理状況」のみに応じたタイミングをもって制御されており、受信者がメールを受信し、当該メールの内容が提示された後、実際に受信ユーザがどのような感情になったか考慮されていないという問題がある。
【０００６】
本発明の一態様は、上記の問題点に鑑みてなされたものであり、その目的は、イベント情報が提示された後のユーザの感情が考慮された適切なタイミングでイベント情報を提示する技術を提供することである。
【課題を解決するための手段】
【０００７】
上記の課題を解決するために、本発明の一態様に係る電子機器は、提示装置及び制御装置を備える電子機器であって、上記制御装置は、ユーザの感情を判定する判定処理と、上記ユーザに関するイベント情報を取得する取得処理と、上記ユーザに関する目標となる感情である目標感情を設定する設定処理と、上記感情及び上記イベント情報が関連付けられたイベント感情特性情報を参照して、上記ユーザの感情を上記目標感情に遷移させるイベント情報を特定する特定処理と、上記特定処理で特定したイベント情報を上記提示装置に提示させる提示処理と、を行う。
【０００８】
上記の課題を解決するために、本発明の一態様に係る制御装置は、提示装置を備える電子機器を制御する制御装置であって、ユーザの感情を判定する判定部と、上記ユーザに関するイベント情報を取得する取得部と、上記ユーザに関する目標となる感情である目標感情を設定する設定部と、上記感情及び上記イベント情報が関連付けられたイベント感情特性情報を参照して、上記ユーザの感情を上記目標感情に遷移させるイベント情報を特定する特定部と、上記特定部が特定したイベント情報を上記提示装置に提示させる提示部と、を備えている。
【０００９】
上記の課題を解決するために、本発明の一態様に係るイベント情報提示システムは、提示装置、制御装置、及び通信装置を備える電子機器と、サーバ記憶装置、サーバ制御装置、及びサーバ通信装置を備えるサーバとを含むイベント情報提示システムであって、上記制御装置は、ユーザの感情を判定する判定処理と、上記ユーザに関するイベント情報を取得する取得処理と、上記ユーザに関する目標となる感情である目標感情を設定する設定処理と、上記感情及び上記イベント情報が関連付けられたイベント感情特性情報を参照して、上記ユーザの感情を上記目標感情に遷移させるイベント情報を特定する特定処理と、を行い、上記イベント感情特性情報を、上記通信装置を介して上記サーバ通信装置に送信し、上記サーバ制御装置は、上記サーバ通信装置を介して取得した上記イベント感情特性情報を上記サーバ記憶装置に記憶する記憶処理を行い、上記制御装置は、上記特定処理で特定したイベント情報を上記提示装置に提示させる提示処理をさらに行う。
【００１０】
上記の課題を解決するために、本発明の一態様に係るサーバは、サーバ記憶装置、サーバ制御装置、及びサーバ通信装置を備え、当該サーバ通信装置を介して電子機器とネットワーク接続されたサーバであって、上記サーバ制御装置は、ユーザの感情と当該ユーザに関するイベント情報とが関連付けられたイベント感情特性情報を上記電子機器から取得する取得処理と、上記イベント感情特性情報を上記サーバ記憶装置に記憶させる記憶処理と、上記記憶処理で上記サーバ記憶装置が記憶した上記イベント感情特性情報を上記電子機器に送信する送信処理と、を行う。
【００１１】
上記の課題を解決するために、本発明の一態様に係るイベント情報提示方法は、提示装置を備える電子機器、及び当該電子機器とネットワーク接続されたサーバを含むイベント情報提示システムがイベント情報を提示するイベント情報提示方法であって、ユーザの感情を判定する判定工程と、上記ユーザに関するイベント情報を取得する取得工程と、上記ユーザに関する目標となる感情である目標感情を設定する設定工程と、上記感情及び上記イベント情報が関連付けられたイベント感情特性情報を参照して、上記ユーザの感情を上記目標感情に遷移させるイベント情報を特定する特定工程と、上記イベント感情特性情報を上記サーバに記憶させる記憶工程と、上記特定工程で特定した上記イベント情報を上記提示装置に提示させる提示工程と、を含む。
【発明の効果】
【００１２】
本発明の一態様によれば、イベント情報が提示された後のユーザの感情が考慮された適切なタイミングでイベント情報を提示することができる。
【図面の簡単な説明】
【００１３】
【図１】本発明の一実施形態に係る電子機器が実行するイベント情報提示方法の各工程を示す概略図である。
【図２】本発明の実施形態１に係るイベント情報提示システムの構成を示すブロック図である。
【図３】パーソナルデータベース（以下、「パーソナルＤＢ」と言う）及びパブリックデータベース（以下、「パブリックＤＢ」と言う）のデータ構造を説明するための図である。
【図４】本発明の実施形態１に係るイベント情報提示システムによるイベント情報提示方法を説明するフローチャート図である。
【図５】図４のフローチャート図の続きである。
【図６】本発明の実施形態１に係るイベント情報提示システムが含む電子機器の感情観測部及び感情判定部が実行する動作を説明するフローチャート図である。
【図７】本発明の実施形態１に係るイベント情報提示システムが含む電子機器のイベント観測部が実行する動作を説明するフローチャート図である。
【図８】本発明の実施形態１に係るイベント情報提示システムが含む電子機器のイベント感情特性管理部が実行する動作を説明するフローチャート図である。
【図９】本発明の実施形態１に係るイベント情報提示システムが含む電子機器の保留イベント管理部が実行する動作を説明するフローチャート図である。
【図１０】本発明の実施形態１に係るイベント情報提示システムが含む電子機器のイベント提示制御部が実行する動作を説明するフローチャート図である。
【図１１】本発明の実施形態２に係るイベント情報提示システムの構成を示すブロック図である。
【発明を実施するための形態】
【００１４】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１５】
〔実施形態１〕
（概要）
本発明の一実施形態に係る電子機器は、ユーザの感情を常に観測しており、イベントの発生制御を当該イベントの感情遷移特性に基づき制御する。本願明細書において、イベントの感情遷移特性とは、ユーザの感情が感情Ａであるときに、あるイベントが発生した場合に、ユーザの感情を感情Ｂに遷移させるという作用を有する特性のことを意味する。また、本願明細書において、イベント感情特性情報とは、当該イベントの感情遷移特性を示す情報のことを意味する。なお、ユーザの感情とは、脳波、脈拍、血圧、体温、呼吸、発汗、及び動作等の１つ以上の生体情報、又は、その組み合わせに基づき各種感情判定アルゴリズムにより判定される感情とし、当該判定アルゴリズムは、従来公知の判定アルゴリズムであってもよく、特に限定されない。
【００１６】
本発明の一実施形態に係る電子機器は、常にユーザの感情を観測している。当該電子機器が実行する各工程の概要を、図１を参照して説明する。図１は、本発明の一実施形態に係る電子機器が実行する（１）〜（６）の工程を示す概略図である。当該（１）〜（６）の工程を以下に示す。
【００１７】
（１）電子機器が、あるサービスからPUSHデータ(ここでは、上司からの業務指示メール)の受信イベントを観測する。
【００１８】
（２）電子機器は、パーソナルＤＢに対して、観測したイベントが現在のユーザの［感情：怒］を、［感情：喜］、［感情：楽］、又は［感情：平静］に遷移させた過去事例がないかを検索する。電子機器は、もし当該過去事例が無い場合、パブリックＤＢも検索する。それでもない場合、電子機器は、観測したイベントを発生させた場合、［感情：怒］から別の感情に遷移させ、当該別の感情から［感情：喜］、［感情：楽］又は［感情：平静］に遷移させるために、当該別の感情を検索する。なお、以下では、イベントを発生させる前のユーザの感情が［感情：喜］であり、イベントを発生させた後のユーザの感情が［感情：平静］に遷移する事例がパーソナルＤＢに見つかった場合の例を示す。
【００１９】
（３）電子機器は、ユーザの感情が、［感情：喜］に遷移することを保留解除の条件としてイベント（上司からの業務指示メール）を保留しておく。
【００２０】
（４）電子機器は、ユーザの感情が［感情：喜］に変わった事を観測する。
【００２１】
（５）電子機器は、ユーザの感情が［感情：喜］に変わったので、［感情：喜］が保留解除条件として設定された保留イベントが無いかを検索し、［感情：喜］に遷移することを保留解除の条件としてイベント（上司からの業務指示メール）が保留されていることを検出する。
【００２２】
（６）電子機器は、イベント（上司からの業務指示メール）をユーザに対して発生させる。
【００２３】
（イベント情報提示システム１）
以下、本発明の実施形態１に係る電子機器２を含むイベント情報提示システム１について、図２を参照して説明する。図２は、本実施形態に係るイベント情報提示システム１の構成を示すブロック図である。図２が示すように、イベント情報提示システム１は、電子機器２、生体センサ２０、及びサーバ３０を含む。
【００２４】
電子機器２は、制御部３、通信部４、センサ通信部５、及びイベント提示装置６を備えている。制御部３は、イベント制御部７、感情観測部８、感情判定部９、イベント観測部１０、イベント感情特性管理部１１、保留イベント管理部１２、及びイベント提示制御部１３を備えている。
【００２５】
イベント制御部７は、ユーザの感情を観測する感情観測部８と、ユーザに関するイベントを観測するイベント観測部１０と、ユーザに関するイベントの感情特性を管理するイベント感情特性管理部１１と、ユーザに対して発生を保留したイベントを管理する保留イベント管理部１２と、ユーザに対してイベントを提示するようにイベント提示装置６を制御するイベント提示制御部１３と接続している。
【００２６】
感情観測部８は、当該生体センサと通信を行うセンサ通信部５を介して生体センサ２０と接続しており、生体センサ２０から生体情報を取得する。また、感情観測部８は、感情判定部９が判定したユーザの感情を観測する。なお、ここにおける生体センサ２０は、１つの生体センサであってもよいし、複数の生体センサであってもよい。
【００２７】
感情判定部９は、感情観測部８が生体センサ２０から取得した生体情報に基づいて、任意の感情判定アルゴリズムによってユーザの感情を判定する。
【００２８】
イベント観測部１０は、通信部４、ネットワーク４１を介して接続された情報サービスサーバ４０（各種サービスサーバ）からイベント情報を取得し、観測する。なお、ここにおける情報サービスサーバ４０は、一般のサービスサーバであり、本発明のために、なんら特別な構成や機能を備える必要は無い。
【００２９】
イベント感情特性管理部１１は、サーバ記憶部３３と接続し、サーバ制御部３２を介して、各イベント感情特性情報を、サーバ記憶部３３のパーソナルＤＢ３５及びパブリックＤＢ３６に蓄積しておくと共に、必要な時にパーソナルＤＢ３５及びパブリックＤＢ３６の何れかよりイベント感情特性情報を取得し、管理を行う。
【００３０】
保留イベント管理部１２は、通信部４、ネットワーク４１及びサーバ通信部３１を介して保留イベント記憶部３４と接続し、イベント制御部７から付与される保留イベントと当該保留イベントの保留解除条件とを、サーバ制御部３２を介して、保留イベント記憶部３４に記憶する。また、保留イベント管理部１２は、イベント制御部７から付与される保留解除条件に適合するイベントを保留イベント記憶部３４から取りだす等の保留イベントに関する管理を行う。
【００３１】
イベント提示制御部１３は、イベント提示装置６が、ユーザに対して音声、文字又は映像等を用いてイベント情報（イベント観測部１０が取得）が示すイベントを提示するように制御する。なお、ここにおけるイベント提示装置６は、１つのイベント提示装置であってもよいし、複数のイベント提示装置であってもよい。
【００３２】
イベント提示装置６は、イベント提示制御部１３の指示に従って、音声、文字又は映像等を用いて、イベント情報が示すイベントを提示する。イベント提示装置６の例として、ディスプレイ、スピーカ、バイブレータ、ＬＥＤ、及び各種連携家電等が挙げられる。
【００３３】
生体センサ２０は、ユーザの脳波、脈拍、血圧、体温、呼吸、発汗及び動作等の１つ以上の生体情報を取得する。本実施形態では、生体センサ２０は、電子機器２の外部に設置されているが、電子機器２の内部に設置されてもよい。
【００３４】
サーバ３０は、サーバ通信部３１、サーバ制御部３２、サーバ記憶部３３、及び保留イベント記憶部３４を備えている。また、サーバ３０は、サーバ通信部３１を介して、電子機器２とネットワーク接続している。
【００３５】
サーバ制御部３２は、イベント観測部１０、イベント感情特性管理部１１又は保留イベント管理部１２の指示に従い、サーバ記憶部３３又は保留イベント記憶部３４から、パーソナルＤＢ３５、パブリックＤＢ３６、又は保留イベントを読み出し、サーバ通信部３１、ネットワーク４１及び通信部４を介してイベント観測部１０、イベント感情特性管理部１１又は保留イベント管理部１２に送信する。
【００３６】
サーバ記憶部３３は、パーソナルＤＢ３５、及びパブリックＤＢ３６を格納している。パーソナルＤＢ３５は、ユーザ個人に関するイベント感情特性情報のみが蓄積されている。パブリックＤＢ３６は、パーソナルＤＢ３５が蓄積したイベント感情特性情報を含む他の全てのユーザに関するイベント感情特性情報を格納する。なお、本実施形態では、サーバ記憶部３３がパーソナルＤＢ３５及びパブリックＤＢ３６を格納しているが、パーソナルＤＢ３５及びパブリックＤＢ３６については、サーバ記憶部３３以外に、クラウド上の一般のストレージサービスのシステムの記憶部が格納していてもよい。
【００３７】
保留イベント記憶部３４は、保留イベント管理部１２が保留したイベントを格納している。
【００３８】
情報サービスサーバ４０は、一般のサービスサーバであり、ネットワーク４１を介して、イベント情報を含む各種サービスのPUSHデータを電子機器２へ送信する。電子機器２は上記PUSHデータを、通信部４を介してイベント観測部１０で観測する。
【００３９】
（データベース）
以下で、イベント感情特性情報を格納するパーソナルＤＢ３５及びパブリックＤＢ３６のデータ構造について、図３を参照して説明する。図３は、パーソナルＤＢ３５及びパブリックＤＢ３６のデータ構造（イベント感情特性情報）を説明するための図である。感情の種類には、安心、恐怖、期待、感謝、冷静、焦燥、快感、不快、後悔、苦痛、満足、不満、緊張、嫌悪、屈辱、軽蔑、嫉妬、憎悪、空虚、感心、又は興奮等々、多くの感情が存在するが、その感情を判定できるか否かは、採用する感情判定アルゴリズムに依存する。以下では、このように、感情判定アルゴリズムで判定された感情について説明する。
【００４０】
まず、n個の感情を選定し、図３が示すように、イベント発生前のｎ個の感情（縦軸）と、イベント発生後のｎ個の感情（横軸）とを対応させ、n×nの感情遷移マトリクスを定義する。例えば、図３が示すマトリックスにおける要素Ａが示すように、あるイベントが、ユーザの感情「楽」の時に発生した結果、ユーザの感情「哀」に遷移した場合、当該イベントの感情特性は、感情を楽から哀に遷移させる特性を有することとし、当該イベントは、イベント集合（楽，哀）に属することとする。このようにして構築されたデータベース（イベント感情特性情報）に基づくと、ユーザの感情が「楽」の時に、当該イベントを発生させると、ユーザの感情が「哀」に遷移することを事前に想定可能となる。
【００４１】
以下で、イベント感情特性情報を格納するパーソナルＤＢ３５及びパブリックＤＢ３６について、より詳細に説明する。イベント感情特性情報は、以下のように定義される。まず、ｎ個の感情を定義して、ある感情Xからある感情Yへ遷移することを表すn×n個の感情遷移カテゴリを定義する。当該n×n個の感情遷移カテゴリ各々に属するイベントの集合をExyとする。すなわち、イベント集合Exyは、感情Xを感情Yに遷移させるイベントの集合を表す。なお、このn×n個の感情遷移カテゴリの何れかに分類されたイベントに、性別、年齢、地域又は国籍等の属性情報を保持させ、これらの属性に該当するイベントをフィルタリングできるようにしてもよい。
【００４２】
また、データベースは、ユーザが使用する電子機器２が管理するサーバ記憶部３３の記憶領域（装置内部に備えていてもよい）にパーソナルＤＢとして構築されるものと、クラウド等の他のユーザもアクセス出来るサーバ記憶部３３の記憶領域にパブリックＤＢとして構築されるものとに区別される。なお、ここにおけるパーソナルＤＢ及びパブリックＤＢについては、サーバ記憶部３３以外の、クラウド上の一般のストレージサービスのシステムの記憶部が格納していてもよい。
【００４３】
電子機器２の感情観測部８は、常にユーザの感情を観測しており、イベント感情特性管理部１１は、ユーザのイベント発生前の感情と、イベント発生後の感情とをパーソナルＤＢ３５とパブリックＤＢ３６の両方に登録する機能を有する。この時、感情観測部８によって観測される感情Ｘを同じく感情Ｙに遷移させるイベントExyが、これらのデータベースの該当するイベント集合の要素に加えられる。
【００４４】
なお、イベント感情特性管理部１１がイベント感情特性情報をパブリックＤＢ３６に登録する際は個人情報すなわち個人を特定できる情報を抽象化し、隠蔽する形に変換して登録することが望ましい。また、イベント感情特性管理部１１は、パーソナルＤＢ３５に登録するイベントに対して、時間による重み付けを行ってもよい。これにより、イベント感情特性が個人の年齢とともに変化する特性の場合、より現在のユーザの特性を反映したイベントを選択することが可能となり、ユーザ個人に関するイベント感情特性情報のみが蓄積されたパーソナルＤＢ３５に有効である。
【００４５】
仮に、ユーザが使用する電子機器２は、イベント発生によりユーザの感情が、ネガティブな時はポジティブに遷移させ、ポジティブな時はできるだけネガティブにならない(最悪でも平常心になる)ようにする設定にあるとする。例えば、ユーザの感情である「喜怒哀楽」において、イベントの発生により、「怒哀」にある時は「喜楽」に属する感情に遷移させ、「喜楽」にあると時は「喜楽」又は「平静」に属する感情に遷移させることとなる。なお、逆の設定があってもよいし、現在のユーザの感情がどのような感情であっても、とにかく「喜」に属する感情にのみ遷移させるイベントしか発生させない設定があってもよい。
【００４６】
電子機器２は、「あるイベントＥ」をユーザに発生させる局面において、感情観測部８がユーザの感情が感情Ａであると観測した場合、イベント感情特性管理部１１が、感情Ａをポジティブな感情の集合｛感情Ｂ、感情Ｃ、感情Ｄ、・・・｝に変化させるイベント集合｛Eab、Eac、Ead・・・｝をパーソナルＤＢ３５から取得する。
【００４７】
イベント感情特性管理部１１がパーソナルＤＢ３５から取得したイベント集合の中に「あるイベントＥ」が含まれる場合、イベント提示制御部１３は、イベント提示装置６が「あるイベントＥ」を提示するように制御する。
【００４８】
パーソナルＤＢ３５から取得したイベント集合に「あるイベントＥ」が含まれない場合は、イベント感情特性管理部１１は、パブリックＤＢから同条件のイベント集合を取得する。パブリックＤＢ３６から取得したイベント集合の中に「あるイベントＥ」が含まれる場合、イベント提示制御部１３は、イベント提示装置６が「あるイベントＥ」を提示するように制御する。
【００４９】
パブリックＤＢ３６から取得したイベント集合に「あるイベントＥ」が含まれない場合は、イベント感情特性管理部１１は、パーソナルＤＢ３５の全カテゴリのイベント集合の中に「あるイベントＥ」が登録されていないか検索する。
【００５０】
パーソナルＤＢ３５に「あるイベントＥ」が存在した場合、ユーザがどのような感情Xであれば「あるイベントＥ」によってポジティブ感情集合の何れかに遷移させることが出来るかがわかる。従って、保留イベント管理部１２は、ユーザの感情が感情Ｘに遷移するまで「あるイベントＥ」の発生を保留する。
【００５１】
パーソナルＤＢ３５に「あるイベントＥ」が存在しない場合、イベント感情特性管理部１１は、パブリックＤＢ３６において同様に検索し、保留イベント管理部１２は、パーソナルＤＢ３５の場合と同様な処理を行う。
【００５２】
結果として、「あるイベントＥ」が、パーソナルＤＢ３５にも、パブリックＤＢ３６にもない場合、イベント提示制御部１３は、イベント提示装置６が「あるイベントＥ」を提示するように制御する。感情観測部８は、感情Ａにおいて「あるイベントＥ」発生させた後の感情Ｙを観測し、イベント感情特性管理部１１は、パーソナルＤＢ３５とパブリックＤＢ３６とに新たなイベントの情報としてイベント集合Eayに登録する。
【００５３】
イベント感情特性管理部１１は、あるイベントの発生前のユーザの感情と、イベント発生後のユーザの感情とを、パーソナルＤＢとパブリックＤＢとの両方の該当するカテゴリのイベント集合に登録する時、同じイベントが既に存在する場合は、当該イベントの強度属性を増加させて登録してもよい。すなわち、イベント感情特性管理部１１は、ユーザの感情が感情Ａであるときに、感情Ｂに遷移させる特性を有するイベント集合の中から、最も強度の高いイベントを選択することが可能となる。
【００５４】
（イベント情報提示方法）
実施形態に係るイベント情報提示システム１によるイベント情報提示方法について、図４及び５を参照して説明する。図４は、本実施形態に係るイベント情報提示システム１によるイベント情報提示方法を説明するフローチャート図である。図５は、当該フローチャート図の続きである。
【００５５】
まず、イベント制御部７は、感情観測部８から通知される「感情通知」があるか否かを判定する（ステップＳ０）。感情観測部８からの「感情通知」がある場合（ステップＳ０のＹＥＳ）、通知された感情に関する情報（ここでは仮に「感情α」とする）を取得してステップＳ１に進む。感情観測部８からの「感情通知」がない場合、イベント制御部７は、感情観測部８から「感情通知」が通知されるまで、ステップＳ０の処理を繰り返す。
【００５６】
ステップＳ１において、イベント制御部７は、保留イベント管理部１２に対して、保留解除条件「感情α」を指定し、「保留イベント要求」を通知する。
【００５７】
次に、イベント制御部７は、保留イベント管理部１２から通知される「保留イベント通知」があるか否かを判定する（ステップＳ２）。保留イベント管理部１２から「保留イベント通知」がある場合（ステップＳ２のＹＥＳ）、ステップＳ３に進む。「保留イベント通知」がない場合（ステップＳ２のＮＯ）、イベント制御部７は、保留イベント管理部１２から「保留イベント通知」が通知されるまで、ステップＳ２を繰り返す。
【００５８】
ステップＳ３において、イベント制御部７は、保留イベント管理部１２からの「保留イベント通知」により通知される保留イベント集合が０（空集合）であるか否かを判定する。「保留イベント通知」により通知される保留イベント集合が０（空集合）でない場合（ステップＳ３のＮＯ）、ステップＳ９に進む。「保留イベント通知」により通知される保留イベント集合がO（空集合）である場合（ステップＳ３のＹＥＳ）、ステップＳ４に進む。
【００５９】
ステップＳ４において、イベント制御部７は、イベント観測部１０から通知される「イベント通知」があるか否かを判定する。イベント観測部１０からの「イベント通知」がある場合（ステップＳ４のＹＥＳ）、ステップＳ５に進む。イベント観測部１０からの「イベント通知」がない場合（ステップＳ４のＮＯ）、ステップＳ０に戻る。
【００６０】
ステップＳ５において、イベント制御部７は、ステップＳ０で取得した「感情α」を感情集合Ae｛｝（目標感情）へ遷移させる特性を有するイベント集合（イベント感情特性情報）を、イベント感情特性管理部１１に要求する。なお、ここにおける感情集合Ae｛｝（目標感情）は、イベント感情特性管理部１１によって、電子機器２が有する感情遷移特性、又は電子機器２に予め設定された感情遷移特性に基づいて設定される。
【００６１】
ここで電子機器２の感情遷移特性とは、電子機器２がユーザをどのような感情へ遷移させるかを規定する特性のことを示す。例えば、「喜怒哀楽」で例えるならば、感情遷移特性は、感情をポジティブな「喜楽」に遷移させる特性、又は、その逆であるネガティブな「怒哀」に遷移させる特性であり得る。なお、定義されたｎ個の感情の任意の集合を感情遷移特性とすることが可能である。
【００６２】
ステップＳ６において、イベント制御部７は、イベント感情特性管理部１１から通知される「イベント集合」（イベント感情特性情報）があるか否かを判定する（ここにおける「イベント集合」は、「感情集合」（イベント情報による遷移前の感情に関する情報の集合）を伴う場合もある。ここにおける「イベント集合」及び「感情集合」の詳細については後述する）。イベント感情特性管理部１１から「イベント集合」が通知されている場合（ステップＳ６のＹＥＳ）、ステップＳ７に進む。イベント感情特性管理部１１から「イベント集合」が通知されていない場合（ステップＳ６のＮＯ）、イベント制御部７は、イベント感情特性管理部１１から「イベント集合」が通知されるまでステップＳ６を繰り返す。
【００６３】
ステップＳ７において、イベント制御部７は、イベント感情特性管理部１１から通知された「イベント集合」が0（空集合）であるか否かを判定し、当該「イベント集合」に「感情集合」が伴っている場合は、「感情集合」が0（空集合）であるか否かをさらに判定することにより、イベントを提示するか否かを判定する。イベント感情特性管理部１１から通知された「イベント集合」がO（空集合）であり、且つ、イベント感情特性管理部１１から通知された「感情集合」がO（空集合）である場合（ステップＳ７のＹＥＳ）、ステップＳ９に進む。一方、イベント感情特性管理部１１から通知された「イベント集合」がO（空集合）であり、且つ、イベント感情特性管理部１１から通知された「感情集合」がO（空集合）でない場合（ステップＳ７のＮＯ）、ステップＳ８に進む。また、「イベント集合」のみが通知され、当該「イベント集合」がO（空集合）でない場合（ステップＳ７のＹＥＳ）、ステップＳ９に進む。
【００６４】
ステップＳ７を要約すると、イベント制御部７は、ユーザの感情を、目標となる感情に遷移させるイベント集合を特定した場合、ステップＳ９に進む。また、イベント制御部７は、ユーザの感情を、目標となる感情に遷移させるイベント集合を特定できず、且つ、イベント情報による遷移前の感情に関する情報の集合も特定できない場合、ステップＳ９に進む。一方、イベント制御部７は、ユーザの感情を、目標となる感情に遷移させるイベント集合を特定できず、また、イベント情報による遷移前の感情に関する情報の集合を特定できた場合、ステップＳ８（イベント情報の保留）に進む。
【００６５】
ステップＳ８において、イベント制御部７は、イベント感情特性管理部１１から通知された「感情集合」を保留解除条件として、ステップＳ４でイベント観測部１０から通知を受けたイベントを保留するように、保留イベント管理部１２に指示する。そして、次に、ステップＳ０に戻る。
【００６６】
一方、ステップＳ９において、イベント制御部７は、ステップＳ３で保留イベント管理部１２から通知を受けた保留イベント集合を順次、ユーザに提示するように、イベント提示制御部１３に指示するか、又は、ステップＳ４でイベント観測部１０から通知を受けたイベントを、ユーザに提示するように指示する。
【００６７】
ステップＳ１０において、イベント制御部７は、ステップＳ０と同様に、感情観測部８から通知される「感情通知」があるか否かを判定する。感情観測部８からの「感情通知」がある場合（ステップＳ１０のＹＥＳ）、イベント制御部７は、通知された感情に関する情報（ここでは仮に「感情β」とする）を取得して、ステップＳ１１に進む。感情観測部８からの「感情通知」がない場合（ステップＳ１０のＮＯ）、イベント制御部７は、感情観測部８から「感情通知」が通知されるまで、ステップＳ１０の処理を繰り返す。
【００６８】
ステップＳ１１において、イベント制御部７は、ステップＳ９でユーザに提示したイベントと、当該イベントを発生させる前のユーザの「感情α」と、ステップＳ１０で取得した「感情β」（当該イベントを発生させた後のユーザの感情）と、を記録するように、イベント感情特性管理部１１に指示して、ステップＳ０に戻る。
【００６９】
（感情観測部８、感情判定部９）
以下で、本実施形態に係る電子機器２の制御部３が備えている感情観測部８及び感情判定部９が実行する動作を、図６を参照して説明する。図６は、感情観測部８及び感情判定部９が実行する動作を説明するフローチャート図である。
【００７０】
まず、感情観測部８は、センサ通信部５を介して、生体センサ２０から生体データを受信しているか否かを判定する（ステップＳ２０）。感情観測部８は、生体データを受信している場合（ステップＳ２０のＹＥＳ）、ステップＳ２１に進む。感情観測部８は、生体データを受信していない場合（ステップＳ２０のＮＯ）、ステップＳ２０へ戻り、生体データを受信するまで、ステップＳ２０の工程を繰り返す。
【００７１】
ステップＳ２１において、感情観測部８は、ステップＳ２０で受信した生体データを取得する。
【００７２】
次に、感情観測部８は、感情判定部９の感情判定アルゴリズムに必要とする生体データをすべて取得できたか否かを判定する（ステップＳ２２）。感情判定部９の感情判定アルゴリズムに必要とする生体データをすべて取得できている場合（ステップＳ２２のＹＥＳ）、ステップＳ２３に進む。感情判定部９の感情判定アルゴリズムに必要とする生体データをすべて取得できていない場合（ステップＳ２２のＮＯ）、ステップＳ２０に戻り、感情判定部９の感情判定アルゴリズムに必要とする生体データをすべて取得できるまで、ステップＳ２０、ステップＳ２１及びステップＳ２２を繰り返す。
【００７３】
ステップＳ２３において、感情観測部８は、取得した生体データを、感情判定部９に送信し、感情判定を指示し、感情判定部９が判定した感情に関する情報を取得する。
【００７４】
次に、感情観測部８は、ステップＳ２３で取得した感情に関する情報をイベント制御部７に通知して、ステップＳ２０に戻る。
【００７５】
（イベント観測部１０）
以下で、本実施形態に係る電子機器２の制御部３が備えているイベント観測部１０が実行する動作を、図７を参照して説明する。図７は、イベント観測部１０が実行する動作を説明するフローチャート図である。
【００７６】
まず、イベント観測部１０は、クラウド上に存在する情報サービスサーバ４０からの各サービスのPUSHデータを受信しているか否かを判定する（ステップＳ３０）。イベント観測部１０は、各サービスのPUSHデータを受信している場合（ステップＳ３０のＹＥＳ）、ステップＳ３１に進む。イベント観測部１０は、各サービスのPUSHデータを受信していない場合（ステップＳ３０のＮＯ）、ステップＳ３０を再度実行し、サーバ３０からの各サービスのPUSHデータの受信を待つ。
【００７７】
ステップＳ３１において、イベント観測部１０は、ステップＳ３０で受信した各サービスのPUSHデータをイベントデータに変換する。
【００７８】
ここで、ステップＳ３１におけるイベントデータへの変換とは、各サービスデータを体系的なイベントデータとして扱うための変換のことを示す。ここにおけるデータの体系化は、特に限定されないが、以下の例を挙げることができる。例えば、各種サービス種別（メール、SNS、電話、又は各種報知情報等）に識別子を付与し、更に当該サービス種別内の各サービス毎に識別子を付与しておき、各サービスデータの内容については、文字データ又は音声データを文字データに変換したデータであれば、形態素解析を行う処理等が考えられる。
【００７９】
ステップＳ３１の次の工程として、イベント観測部１０は、ステップＳ３１において変換したイベントデータを、イベント制御部７に通知する（ステップＳ３２）。そして、イベント観測部１０は、ステップＳ３０に戻り、ステップＳ３０〜Ｓ３２の工程は繰り返される。
【００８０】
（イベント感情特性管理部１１）
以下で、本実施形態に係る電子機器２の制御部３が備えているイベント感情特性管理部１１が実行する動作を、図８を参照して説明する。図８は、イベント感情特性管理部１１が実行する動作を説明するフローチャート図である。
【００８１】
まず、イベント感情特性管理部１１は、イベント制御部７から「イベント集合要求」が通知されているか否かを判定する（ステップＳ４０）。「イベント集合要求」が通知されている場合（ステップＳ４０のＹＥＳ）、当該「イベント集合要求」に付随するイベントデータＥと、感情観測部８が観測した現在のユーザの感情αと、イベント発生後に遷移させたいユーザの感情集合Ae{β, γ}（ここでは、仮に感情βか感情γに遷移させたいものとする）とを取得してステップＳ４１に進む。「イベント集合要求」が通知されていない場合（ステップＳ４０のＮＯ）、ステップＳ４９に進む。
【００８２】
ステップＳ４１において、イベント感情特性管理部１１は、感情αを感情集合Ae{β,γ}（目標感情）に遷移させる、すなわち、感情αを感情βに遷移させるか、又は感情αを感情γに遷移させるイベントの集合（ここでEv{}と表記する）を、通信部４を介してクラウド上のパーソナルＤＢ３５（サーバ記憶部３３又はクラウド上の一般のストレージサービスのシステムの記憶部が格納する）から抽出して取得する。
【００８３】
次に、イベント感情特性管理部１１は、ステップＳ４１で取得したイベント集合Ev{}が空集合であるか否かを判定する（ステップＳ４２）。イベント集合Ev{}が空集合である場合（ステップＳ４２のＹＥＳ）、ステップＳ４３に進む。イベント集合Ev{}が空集合でない場合（ステップＳ４２のＮＯ）、ステップＳ４８に進む。
【００８４】
ステップＳ４３において、イベント感情特性管理部１１は、感情αを感情集合Ae{β,γ}に遷移させる、すなわち、感情αを感情βに遷移させるか、又は感情αを感情γに遷移させるイベントの集合Ev{}を、通信部４を介してクラウド上のパブリックＤＢ３６（サーバ記憶部３３又はクラウド上の一般のストレージサービスのシステムの記憶部が格納する）から抽出して取得する。
【００８５】
次に、イベント感情特性管理部１１は、ステップＳ４３で取得したイベント集合Ev{}が空集合であるか否かを判定する（ステップＳ４４）。イベント集合Ev{}が空集合である場合（ステップＳ４４のＹＥＳ）、ステップＳ４５に進む。イベント集合Ev{}が空集合でない場合（ステップＳ４４のＮＯ）、ステップＳ４８に進む。
【００８６】
ステップＳ４５において、イベント感情特性管理部１１は、イベントEがユーザの感情を感情集合Ae{β,γ}に遷移させる、すなわち、イベントEが発生した場合にユーザの感情が感情β又は感情γに遷移する、遷移前の感情の集合（感情集合Be{}と表記する）を、通信部４を介して、クラウド上のパーソナルＤＢ３５から抽出して取得する。
【００８７】
次に、イベント感情特性管理部１１は、ステップＳ４５で取得した感情集合Be{}が空集合であるか否かを判定する（ステップＳ４６）。感情集合Be{}が空集合である場合（ステップＳ４６のＹＥＳ）、ステップＳ４７に進む。感情集合Be{}が空集合でない場合（ステップＳ４６のＮＯ）、ステップＳ４８に進む。
【００８８】
ステップＳ４７において、イベント感情特性管理部１１は、イベントEが感情集合Ae{β,γ}に遷移する、すなわち、イベントEが発生した場合にユーザの感情が感情β又は感情γに遷移する感情の集合Be{}を、通信部４を介して、クラウド上のパブリックＤＢ３６から抽出して取得する。
【００８９】
ステップＳ４８において、イベント感情特性管理部１１は、「イベント集合通知」として、イベント集合Ev{}と、ステップＳ４５で感情集合Be{}を取得した場合は感情集合Be{}とを、イベント制御部７に通知して、ステップＳ４０に戻る。
【００９０】
ステップＳ４９（ステップＳ４０のＮＯの次の工程）において、イベント感情特性管理部１１は、イベント制御部７から「イベント記録指示」が通知されているか否かを判定する。「イベント記録指示」が通知されている場合（ステップＳ４９のＹＥＳ）、イベント感情特性管理部１１は、当該「イベント記録指示」に付随するイベントEのデータと、イベントE発生前のユーザの感情αと、イベント発生後のユーザの感情βとを取得して、ステップＳ４０に進む。「イベント記録指示」が通知されていない場合（ステップＳ４９のＮＯ）、ステップＳ４０に戻る。
【００９１】
ステップＳ５０において、イベント感情特性管理部１１は、通信部４を介して、クラウド上のパーソナルＤＢ３５のカテゴリ（α,β）のイベント集合にイベントEを加える。
【００９２】
次に、ステップＳ５１において、イベント感情特性管理部１１は、通信部４を介して、クラウド上のパブリックＤＢ３６のカテゴリ（α,β）のイベント集合にイベントEを加えて、ステップＳ４０に戻る。
【００９３】
なお、ここでは、パーソナルＤＢ３５をクラウド上に設置し、パーソナルＤＢ３５に通信部４を介してアクセスする構成としているが、パーソナルＤＢ３５は、電子機器２内に設置してもよい。その場合、イベント感情特性管理部１１は、通信部４を介してパーソナルＤＢ３５にアクセスする必要はなくなる。このように、パーソナルＤＢ３５の設置場所は限定されない。
【００９４】
（保留イベント管理部１２）
以下で、本実施形態に係る電子機器２の制御部３が備えている保留イベント管理部１２が実行する動作を、図９を参照して説明する。図９は、保留イベント管理部１２が実行する動作を説明するフローチャート図である。
【００９５】
まず、保留イベント管理部１２は、イベント制御部７から「保留イベント要求」が通知されているか否かを判定する（ステップＳ６０）。「保留イベント要求」が通知されている場合（ステップＳ６０のＹＥＳ）、保留イベント管理部１２は、「保留イベント要求」に付随するイベントの保留解除条件である感情αを取得して、ステップＳ６１に進む。「保留イベント要求」が通知されていない場合（ステップＳ６０のＮＯ）、ステップＳ６３に進む。
【００９６】
ステップＳ６１において、保留イベント管理部１２は、通信部４を介してクラウド上の保留イベント記憶部３４から、保留解除条件が感情αである保留イベントを抽出する。
【００９７】
次に、保留イベント管理部１２は、ステップＳ６１において取得した保留イベントの集合を、イベント制御部７に「保留イベント通知」として通知して、ステップＳ６０に戻る。
【００９８】
ステップＳ６３（ステップＳ６０のＮＯの次の工程）において、保留イベント管理部１２は、イベント制御部７から「イベント保留指示」が通知されているか否かを判定する。「イベント保留指示」が通知されている場合（ステップＳ６３のＹＥＳ）、「イベント保留指示」に付随するイベントEのデータと保留解除条件である感情αとを取得して、ステップＳ６４に進む。「イベント保留指示」が通知されていない場合（ステップＳ６３のＮＯ）、ステップＳ６０に戻る。
【００９９】
ステップＳ６４において、保留イベント管理部１２は、通信部４を介して、クラウド上の保留イベント記憶部３４に対して、感情αを保留解除条件としてイベントEのデータを記憶させ、ステップＳ６０に戻る。
【０１００】
なお、ここでは、保留イベント記憶部３４をクラウド上に設置し、保留イベント記憶部３４に通信部４を介してアクセスする構成としているが、保留イベント記憶部３４は、電子機器２内に設置してもよい。その場合、保留イベント管理部１２は、通信部４を介して保留イベント記憶部３４にアクセスする必要はなくなる。このように、保留イベント記憶部３４の設置場所は限定されない。
【０１０１】
（イベント提示制御部１３）
以下で、本実施形態に係る電子機器２の制御部３が備えているイベント提示制御部１３が実行する動作を、図１０を参照して説明する。図１０は、イベント提示制御部１３が実行する動作を説明するフローチャート図である。
【０１０２】
まず、イベント提示制御部１３は、イベント制御部７から、「イベント提示指示」が通知されているか否かを判定する（ステップＳ７０）。「イベント提示指示」が通知されている場合（ステップＳ７０のＹＥＳ）、ステップＳ７１に進む。「イベント提示指示」が通知されていない場合（ステップＳ７０のＮＯ）、ステップＳ７０を再度実行し、イベント制御部７から「イベント提示指示」が通知されるのを待つ。
【０１０３】
ステップＳ７１において、イベント提示制御部１３は、イベント制御部７からイベント提示を指示されたイベントのデータ種別（文字列、音声、画像、映像、又は各種家電制御等）に応じたイベント提示装置６を介して、ユーザにイベントを提示する。
【０１０４】
次に、イベント提示制御部１３は、ステップＳ７１において提示したイベント以外に、イベント制御部７からイベント提示を指示された他のイベントがある否かを判定する（ステップＳ７２）。当該他のイベントがある場合（ステップＳ７２のＹＥＳ）、ステップＳ７１に戻り、イベント提示制御部１３は、イベント提示装置６が当該他のイベントを提示するように制御する。当該他のイベントがない場合、ステップＳ７０に戻る。
【０１０５】
（まとめ）
以上のように、本実施形態に係るイベント情報提示システム１は、電子機器２及びサーバ３０を含み、電子機器２は、ユーザの感情を判定する判定処理と、上記ユーザに関するイベント情報を取得する取得処理と、上記ユーザに関する目標となる感情である目標感情を設定する設定処理と、上記感情及び上記イベント情報が関連付けられたイベント感情特性情報を参照して、上記ユーザの感情を上記目標感情に遷移させるイベント情報を特定する特定処理と、を行い、上記イベント感情特性情報を、通信部４を介してサーバ通信部３１に送信し、上記サーバ３０は、上記サーバ通信部３１を介して取得した上記イベント感情特性情報を上記サーバ３０のサーバ記憶部３３に記憶させる記憶処理を行い、上記電子機器２は、上記特定処理で特定した上記イベント情報を上記電子機器２のイベント提示装置６に提示させる提示処理をさらに行う。
【０１０６】
上記の構成によれば、ユーザの感情を目標感情に遷移させるイベント情報を特定することができるため、イベント情報が提示された後のユーザの感情が考慮された適切なタイミングでイベント情報を提示することができる。
【０１０７】
また、上述の特許文献１に記載の発明では、メッセージ送信者は従来の発明による特別なメッセージ通知システムを利用する必要があるという問題がある。
【０１０８】
一方、本実施形態に係るイベント情報提示システム１は、電子機器が、ユーザの感情の判定、イベント情報の取得、当該ユーザの感情とイベント情報とに基づいたイベント感情特性情報の生成、及び当該イベント感情特性情報に応じたイベント情報の表示の機能を一括して実行できる。これにより、イベント感情特性情報を記憶するサーバ以外の他の特別なメッセージ通知システムを利用する必要がない。
【０１０９】
また、従来技術においては、メッセージの送信制御が、受信者の「現在又は過去の心理的状況」に応じて行われるが、その送信制御結果が意図された結果（送信先のユーザの感情の変化）になったのか不明であり、システムにフィードバックされない。そのため、システムの制御が意図された正しい制御であったのか不明であり、それ故、システム制御の改善が図られることがないという問題があった。
【０１１０】
そこで、本実施形態に係るイベント情報提示システム１は、上記電子機器が、上記イベント情報の提示処理を行う前と行った後とに上記ユーザの感情の判定処理を行い、当該提示処理を行う前の上記判定処理により判定した上記感情と、当該提示処理を行った後の上記判定処理により判定した上記感情と、当該提示処理により提示されたイベント情報とが関連付けられたイベント感情特性情報を生成する生成処理をさらに行う。
【０１１１】
上記の構成によれば、生成されたイベント感情特性情報を参照することにより、イベントメッセージ通知を含むイベント制御は、ユーザのイベント発生前後の感情遷移に鑑みて制御される。また、そのイベントを発生させた結果もまた、記憶装置のデータベースにフィードバックされるため、当該フィードバックにより記憶されたイベント感情特性情報を参照することにより、より適切なタイミングでイベントを発生できるとともにその制御成功精度も刻々と向上していくことができる。
【０１１２】
また、従来技術では、メッセージ（イベント情報）の内容が前例のない内容の場合、ユーザの感情に応じたイベントの提示を制御できないという問題があった。
【０１１３】
そこで、本実施形態に係るイベント情報提示システム１は、サーバ３０のサーバ記憶部３３がパーソナルＤＢ３５及びパブリックＤＢ３６を格納しており、ユーザに発生するイベントの前後の感情を、逐次、パーソナルＤＢ３５及びパブリックＤＢ３６が記録していく。また、他の多くのユーザのイベントとその前後の感情との記録も、逐次、パブリックＤＢ３６に記録されるため、膨大なデータがパブリックＤＢ３６に記録されることになる。その結果、未だかつて誰も経験したことのないイベントがユーザに発生する確率は、非常に低くなり、ほぼ全てのイベントに関して、ユーザの感情に応じたイベントの提示を制御することが可能になる。
【０１１４】
〔実施形態２〕
本発明の実施形態２について、図面に基づいて説明すれば、以下のとおりである。図１１は、本実施形態に係るイベント情報提示システム１００の構成を示すブロック図である。図１１が示すように、本実施形態に係るイベント情報提示システム１００は、実施形態１に係るイベント情報提示システム１と比較して、サーバ３０を含んでいない。また、本実施形態に係るイベント情報提示システム１００が含む電子機器１０１は、通信部４の代わりに、記憶部１０２を備えていること以外は、実施形態１に係るイベント情報提示システム１が含む電子機器２と同様の構成を有している。従って、実施形態１にて説明したイベント情報提示システム１が備えている部材と同じ機能を有する部材については、同じ符号を付記し、その説明を省略する。
【０１１５】
本実施形態に係る電子機器１０１が備えている記憶部１０２は、実施形態１で説明したサーバ記憶部３３及び保留イベント記憶部３４と同様の機能を有しており、パーソナルＤＢ３５、パブリックＤＢ３６、及び保留イベント管理部１２が保留したイベントを格納している。
【０１１６】
本実施形態におけるイベント感情特性管理部１１は、記憶部１０２と接続し、各イベント感情特性情報を、記憶部１０２のパーソナルＤＢ及びパブリックＤＢに蓄積しておくと共に、必要な時にパーソナルＤＢ及びパブリックＤＢの何れかよりイベント感情特性情報を取得し、管理を行う。なお、記憶部１０２は、他のユーザに関するイベント感情特性情報を外部から取得し、パブリックＤＢに格納してもよい。
【０１１７】
本実施形態における保留イベント管理部１２は、記憶部１０２と接続し、イベント制御部７から付与される保留イベントと当該保留イベントの保留解除条件とを記憶部１０２に記憶する。また、保留イベント管理部１２は、イベント制御部７から付与される保留解除条件に適合するイベントを記憶部１０２から取りだす等の保留イベントに関する管理を行う。
【０１１８】
以上のように、実施形態１に係るサーバ３０のサーバ記憶部３３及び保留イベント管理部１２の機能を有する記憶部１０２をさらに備えている電子機器１０１も、本発明の一実施形態に含まれる。
【０１１９】
上記の構成によれば、ユーザの感情の判定、イベント情報の取得、当該ユーザの感情とイベント情報とに基づいたイベント感情特性情報の生成及び記憶、並びに当該イベント感情特性情報に応じたイベント情報の表示の機能を一括して実行できる。これにより、他の特別なメッセージ通知システムを利用する必要がない。
【０１２０】
〔変形例１〕
上述の実施形態１では、サーバ３０が、パーソナルＤＢ３５及びパブリックＤＢ３６を格納するサーバ記憶部３３と、保留イベントを記憶する保留イベント記憶部３４とを備えている構成を説明した。また、上述の実施形態２では、電子機器１０１がサーバ記憶部３３及び保留イベント記憶部３４の機能と同様の機能を有する記憶部１０２を備えている構成を説明した。しかし、サーバ記憶部３３の機能を有する部材と、保留イベント記憶部３４の機能を有する部材とが設置される場所は、これらに限定されない。
【０１２１】
例えば、電子機器２が、パーソナルＤＢ３５を格納する記憶装置を備え、サーバ３０が、パブリックＤＢを格納する記憶装置と、保留イベントを記憶する記憶装置とを備えている構成も本発明の実施形態に含まれる。
【０１２２】
また、例えば、電子機器２が、パーソナルＤＢ３５及び保留イベントを格納する記憶装置を備え、サーバ３０が、パブリックＤＢ３６を格納する記憶装置を備えている構成も本発明の実施形態に含まれる。
【０１２３】
〔変形例２〕
上述の実施形態１では、イベント感情特性管理部１１が、通信部４を介してクラウド上のパーソナルＤＢ３５又はパブリックＤＢ３６からイベント感情特性情報を抽出して取得する構成について説明した。しかし、イベント感情特性管理部１１がイベント感情特性情報を取得する構成は、これに限定されない。
【０１２４】
例えば、イベント感情特性管理部１１が、パブリックＤＢ３６のみから、イベント感情特性情報を抽出して取得する構成も本発明の実施形態に含まれる。そして、イベント制御部７は、パブリックＤＢ３６のみから抽出されたイベント感情特性情報を参照して、ユーザの感情を目標感情に遷移させるイベント情報を特定してもよい。
【０１２５】
〔ソフトウェアによる実現例〕
電子機器２及びサーバ３０の制御ブロック（特に制御部３及びサーバ制御部３２）は、集積回路（ＩＣチップ）等に形成された論理回路（ハードウェア）によって実現してもよいし、ソフトウェアによって実現してもよい。
【０１２６】
後者の場合、電子機器２及びサーバ３０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２７】
〔まとめ〕
本発明の態様１に係る電子機器（２、１０１）は、提示装置（イベント提示装置６）及び制御装置（制御部３）を備える電子機器であって、上記制御装置は、ユーザの感情を判定する判定処理と、上記ユーザに関するイベント情報を取得する取得処理と、上記ユーザに関する目標となる感情である目標感情を設定する設定処理と、上記感情及び上記イベント情報が関連付けられたイベント感情特性情報を参照して、上記ユーザの感情を上記目標感情に遷移させるイベント情報を特定する特定処理と、上記特定処理で特定した上記イベント情報を上記提示装置に提示させる提示処理と、を行う。
【０１２８】
上記の構成によれば、ユーザの感情を目標感情に遷移させるイベント情報を特定することができるため、イベント情報が提示された後のユーザの感情が考慮された適切なタイミングでイベント情報を提示することができる。
【０１２９】
本発明の態様２に係る電子機器（２、１０１）は、上記態様１において、上記制御装置は、生体センサが測定した上記ユーザの生体情報を参照して、上記判定処理において上記感情を判定してもよい。
【０１３０】
上記の構成によれば、生体センサが測定した生体情報に基づいてユーザの感情の判定を行うことができるため、ユーザの感情の判定に関する他のシステムを利用する必要がなくなる。
【０１３１】
本発明の態様３に係る電子機器（２、１００）は、上記態様１又は２において、上記制御装置は、上記判定処理で判定した上記感情、及び上記イベント感情特性情報を参照して、上記イベント情報の提示を保留するか否かを判定し、提示を保留すると判定した上記イベント情報を記憶装置に記憶させる保留処理をさらに行い、上記提示処理において、上記保留処理で上記記憶装置が記憶した上記イベント情報を上記提示装置に提示させてもよい。
【０１３２】
上記の構成によれば、ユーザの感情に応じて、イベント情報を保留することができ、また、ユーザの感情とイベント情報とが関連付けられたイベント感情特性情報を参照することで適切なタイミングで、保留したイベント情報を提示することができる。
【０１３３】
本発明の態様４に係る電子機器（２、１００）は、上記態様１〜３において、上記制御装置は、上記提示処理を行う前と行った後とに上記判定処理を行い、当該提示処理を行う前の上記判定処理により判定した上記感情と、当該提示処理を行った後の上記判定処理により判定した上記感情と、当該提示処理により提示された上記イベント情報と、が関連付けられた上記イベント感情特性情報を生成する生成処理と、上記イベント感情特性情報を記憶装置に記憶させる記憶処理と、をさらに行ってもよい。
【０１３４】
上記の構成によれば、生成されたイベント感情特性情報を参照することにより、イベントメッセージ通知を含むイベント制御は、ユーザのイベント発生前後の感情遷移に鑑みて制御される。また、そのイベントを発生させた結果もまた、記憶装置のデータベースにフィードバックされるため、当該フィードバックにより記憶されたイベント感情特性情報を参照することにより、より適切なタイミングでイベントを発生できるとともにその制御成功精度も刻々と向上していくことができる。
【０１３５】
本発明の態様５に係る電子機器（２、１００）は、上記態様１〜４において、上記制御装置は、上記特定処理において、上記ユーザに関する上記イベント感情特性情報、及び他のユーザに関するイベント感情特性情報を格納しているパブリックデータベースを参照して、上記ユーザの感情を上記目標感情に遷移させる上記イベント情報を特定してもよい。
【０１３６】
上記の構成によれば、パブリックデータベースに格納された、他のユーザに関するイベント感情特性情報を参照することにより、未だかつて誰も経験したことのないイベントがユーザに発生する確率は、非常に低くなり、ほぼ全てのイベントに関して、ユーザの感情に応じたイベントの提示を制御することが可能になる。
【０１３７】
本発明の態様６に係る電子機器（２、１００）は、上記態様５において、上記制御装置は、上記特定処理において、上記ユーザに関する上記イベント感情特性情報を格納しているパーソナルデータベースを参照して、上記ユーザの感情を上記目標感情に遷移させる上記イベント情報を特定することができない場合に、上記パブリックデータベースを参照して、上記ユーザの感情を上記目標感情に遷移させる上記イベント情報を特定してもよい。
【０１３８】
上記の構成によれば、ユーザが経験していないイベントのイベント感情特性情報が、プライベートデータベースにない場合であっても、パブリックデータベースを参照することにより、ユーザの感情を目標感情に遷移させる可能性のあるイベントを特定することができる。
【０１３９】
本発明の態様７に係る制御装置（制御部３）は、提示装置（イベント提示装置６）を備える電子機器を制御する制御装置であって、ユーザの感情を判定する判定部（感情判定部９）と、上記ユーザに関するイベント情報を取得する取得部（イベント観測部１０）と、上記ユーザに関する目標となる感情である目標感情を設定する設定部（イベント感情特性管理部１１）と、上記感情及び上記イベント情報が関連付けられたイベント感情特性情報を参照して、上記ユーザの感情を上記目標感情に遷移させるイベント情報を特定する特定部（イベント制御部７、イベント感情特性管理部１１）と、上記特定部が特定したイベント情報を上記提示装置に提示させる提示部（イベント提示制御部１３）と、を備えている。
【０１４０】
上記の構成によれば、上記態様１に係る電子機器が奏する効果と同様の効果を奏する。
【０１４１】
本発明の態様８に係るイベント情報提示システム（１）は、提示装置（イベント提示装置６）、制御装置（制御部３）、及び通信装置（通信部４）を備える電子機器（２）と、サーバ記憶装置（サーバ記憶部３３）、サーバ制御装置（サーバ制御部３２）、及びサーバ通信装置（サーバ通信部３１）を備えるサーバ（３０）とを含むイベント情報提示システムであって、上記制御装置は、ユーザの感情を判定する判定処理と、上記ユーザに関するイベント情報を取得する取得処理と、上記ユーザに関する目標となる感情である目標感情を設定する設定処理と、上記感情及び上記イベント情報が関連付けられたイベント感情特性情報を参照して、上記ユーザの感情を上記目標感情に遷移させるイベント情報を特定する特定処理と、を行い、上記イベント感情特性情報を、上記通信装置を介して上記サーバ通信装置に送信し、上記サーバ制御装置は、上記サーバ通信装置を介して取得した上記イベント感情特性情報を上記サーバ記憶装置に記憶させる記憶処理を行い、上記制御装置は、上記特定処理で特定した上記イベント情報を上記提示装置に提示させる提示処理をさらに行う。
【０１４２】
上記の構成により、ユーザの感情の判定、イベント情報の取得、当該ユーザの感情とイベント情報とに基づいたイベント感情特性情報の生成、及び当該イベント感情特性情報に応じたイベント情報の表示の機能を一括して実行できるため、サーバ以外の他の特別なメッセージ通知システムを利用する必要がない。また、ユーザの感情とイベント情報とが関連付けられたイベント感情特性情報を生成し、当該イベント感情特性情報を参照して、イベント情報を提示することができるため、実際のユーザの感情に即したイベント情報をユーザに提示することができる。
【０１４３】
本発明の態様９に係るサーバ（３０）は、サーバ記憶装置（サーバ記憶部３３）、サーバ制御装置（サーバ制御部３２）、及びサーバ通信装置（サーバ通信部３１）を備え、当該サーバ通信装置を介して電子機器（２）とネットワーク接続されたサーバであって、上記サーバ制御装置は、ユーザの感情と当該ユーザに関するイベント情報とが関連付けられたイベント感情特性情報を上記電子機器から取得する取得処理と、上記イベント感情特性情報を上記サーバ記憶装置に記憶させる記憶処理と、上記記憶処理で上記サーバ記憶装置が記憶した上記イベント感情特性情報を上記電子機器に送信する送信処理と、を行う。
【０１４４】
上記の構成によれば、上記態様８に係るイベント情報提示システムが含むサーバが奏する効果と同様の効果を奏する。
【０１４５】
本発明の態様１０に係るイベント情報提示方法は、提示装置（イベント提示装置６）を備える電子機器（２）、及び当該電子機器とネットワーク接続されたサーバ（３０）を含むイベント情報提示システム（１）がイベント情報を提示するイベント情報提示方法であって、ユーザの感情を判定する判定工程と、上記ユーザに関するイベント情報を取得する取得工程と、上記ユーザに関する目標となる感情である目標感情を設定する設定工程と、上記感情及び上記イベント情報が関連付けられたイベント感情特性情報を参照して、上記ユーザの感情を上記目標感情に遷移させるイベント情報を特定する特定工程と、上記イベント感情特性情報を上記サーバに記憶させる記憶工程と、上記特定工程で特定した上記イベント情報を上記提示装置に提示させる提示工程と、を含む。
【０１４６】
上記の構成によれば、上記態様８に係るイベント情報提示システムが奏する効果と同様の効果を奏する。
【０１４７】
本発明の各態様に係る電子機器又はサーバは、コンピュータによって実現してもよく、この場合には、コンピュータを上記電子機器又はサーバが備える各部（ソフトウェア要素）として動作させることにより上記電子機器又はサーバをコンピュータにて実現させる電子機器又はサーバの制御プログラム、およびそれを記録したコンピュータ読み取り可能な記録媒体も、本発明の範疇に入る。
【０１４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４９】
１、１００  イベント情報提示システム
２、１０１  電子機器
３  制御部
４  通信部
５  センサ通信部
６  イベント提示装置
７  イベント制御部
８  感情観測部
９  感情判定部
１０  イベント観測部
１１  イベント感情特性管理部
１２  保留イベント管理部
１３  イベント提示制御部
２０  生体センサ
３０  サーバ
３１  サーバ通信部
３２  サーバ制御部
３３  サーバ記憶部
３４  保留イベント記憶部
４０  情報サービスサーバ
４１  ネットワーク
１０２  記憶部
【図１】
2019096147.tif 000003
【図２】
2019096147.tif 000004
【図３】
2019096147.tif 000005
【図４】
2019096147.tif 000006
【図５】
2019096147.tif 000007
【図６】
2019096147.tif 000008
【図７】
2019096147.tif 000009
【図８】
2019096147.tif 000010
【図９】
2019096147.tif 000011
【図１０】
2019096147.tif 000012
【図１１】
2019096147.tif 000013